(57)【要約】【課題】少なくとも３個のクリップ爪を有する内視鏡用留置クリップにおいて、クリップ閉じリングにクリップ爪を嵌め込む組み立て作業を容易に行うことができるようにすること。【解決手段】後端側に設けられた連結部１２により互いに連結されて後端部付近を基点に開閉する少なくとも３個のクリップ爪１１と、クリップ爪１１に対して連結部１２側から被嵌されるクリップ閉じ筒体１５とを有し、クリップ閉じ筒体１５を連結部１２側からクリップ爪１１側に移動させることによりクリップ爪１１が閉じた状態に保持されるように構成された内視鏡用留置クリップにおいて、連結部１２を筒状に形成して、全てのクリップ爪１１と連結部１２とを一つの素材により一体につながった状態に形成した。【選択図】      図１
2004242922.tif 000002
【特許請求の範囲】
【請求項１】
後端側に設けられた連結部により互いに連結されて後端部付近を基点に開閉する少なくとも３個のクリップ爪と、上記クリップ爪に対して上記連結部側から被嵌されるクリップ閉じ筒体とを有し、上記クリップ閉じ筒体を上記連結部側から上記クリップ爪側に移動させることにより上記クリップ爪が閉じた状態に保持されるように構成された内視鏡用留置クリップにおいて、
上記連結部を筒状に形成して、全てのクリップ爪と上記連結部とを一つの素材により一体につながった状態に形成したことを特徴とする内視鏡用留置クリップ。
【請求項２】
上記連結部が、後端部が開放された筒状体である請求項１記載の内視鏡用留置クリップ。
【請求項３】
上記連結部が略円筒形状である請求項１又は２記載の内視鏡用留置クリップ。
【請求項４】
上記連結部が、上記クリップ閉じ筒体と弾力的に摩擦係合するように構成されている請求項１、２又は３記載の内視鏡用留置クリップ。
【請求項５】
上記素材がパイプ状である請求項１、２、３又は４記載の内視鏡用留置クリップ。
【請求項６】
上記素材が平板状である請求項１、２、３又は４記載の内視鏡用留置クリップ。
【発明の詳細な説明】
【０００１】
【発明の属する技術分野】
この発明は、内視鏡の処置具挿通チャンネルに通して使用されて、体内の止血、結紮或いはマーキング等を行うために体内に留置される内視鏡用留置クリップに関する。
【０００２】
【従来の技術】
内視鏡用留置クリップは一般に、後端部に設けられた連結部において互いに連結されて後端部付近を基点に開閉するクリップ爪と、クリップ爪に対して連結部側から被嵌されるクリップ閉じ筒体とをユニット状に組み合わせたものであり、使用時に、クリップ閉じ筒体を連結部側からクリップ爪側に移動させることによりクリップ爪が閉じた状態に保持されるように構成されている。
【０００３】
そのような内視鏡用留置クリップのクリップ爪は、旧来は１８０°対称に一対設けられていただけであったが、患部に対するクリッピング作用をより確実にするために３個又は４個（或いはそれ以上）のクリップ爪を配置したものがある（例えば、特許文献１）。
【０００４】
【特許文献１】
実開平７−１９０５号公報、図９等
【０００５】
【発明が解決しようとする課題】
内視鏡用留置クリップは、別々の部品として製造されるクリップ爪とクリップ閉じ筒体とを組み合わせたものであり、クリップ爪の後端連結部をクリップ閉じ筒体内に嵌め込んで一体的なユニット状に組み立てておく必要がある。
【０００６】
そのような組み立て作業は、クリップ爪が１８０°対称に一対だけ設けられた構造のものでは、一対のクリップ爪を中間部分で曲げ戻された一つの部品として製造しておいて、その曲げ戻し部をクリップ閉じリングに嵌め込めばよいので、極めて簡単である。
【０００７】
しかし、特許文献１に記載された内視鏡用留置クリップ等のようにクリップ爪が４個配置された構造の場合には、中間部分で曲げ戻した一つの部品として製造した一対のクリップ爪を二組準備して、その二組のクリップ爪の各曲げ戻し部分をクリップ閉じリングに嵌め込まなければならない。
【０００８】
そのため、単にクリップ爪の数が二倍に増えたというだけでなく、二組のクリップ爪を互いにずっこけないようにして正しい位置関係に保ってクリップ閉じリングに嵌め込むのが容易ではなく、組み立て作業に非常に手間がかかってコストアップになっていた。
【０００９】
そこで本発明は、少なくとも３個のクリップ爪を有する内視鏡用留置クリップにおいて、クリップ閉じリングにクリップ爪を嵌め込む組み立て作業を容易に行うことができるようにすることを目的とする。
【００１０】
【課題を解決するための手段】
上記の目的を達成するため、本発明の内視鏡用留置クリップは、後端側に設けられた連結部により互いに連結されて後端部付近を基点に開閉する少なくとも３個のクリップ爪と、クリップ爪に対して連結部側から被嵌されるクリップ閉じ筒体とを有し、クリップ閉じ筒体を連結部側からクリップ爪側に移動させることによりクリップ爪が閉じた状態に保持されるように構成された内視鏡用留置クリップにおいて、連結部を筒状に形成して、全てのクリップ爪と連結部とを一つの素材により一体につながった状態に形成したものである。
【００１１】
なお、連結部が、後端部が開放された筒状体であってもよく、略円筒形状であってもよい。そして、連結部が、クリップ閉じ筒体と弾力的に摩擦係合するようになっていてもよい。
【００１２】
また、クリップ爪と連結部の素材が、パイプ状であってもよく或いは平板状であってもよい。
【００１３】
【発明の実施の形態】
図面を参照して本発明の実施例を説明する。
図１と図２は留置クリップユニット１０を示しており、図１は側面部分断面図、図２は前方から見た状態の正面図である。
【００１４】
この実施例においては、３個のクリップ爪１１が、それらの後端部Ａ付近を弾性変形させることにより後端部Ａ付近を基点に開閉するように、中心軸線の周囲に略１２０°間隔で広がった形状に配置されて、後端部に設けられた連結部１２において互いに連結されている。
【００１５】
図３は、そのようなクリップ爪１１と連結部１２が形成された部品を単体で示しており、連結部１２はばね性のあるステンレス鋼管材等のパイプ材からなる素材をそのまま用いた円筒状のものであり、後端側（図３において上方の端部）は開放されている。
【００１６】
三つのクリップ爪１１は、全てのクリップ爪１１が後端部Ａで連結部１２とつながった状態になるように、連結部１２と同じ素材パイプから連結部１２と一つながりに形成されて（レーザ加工等によって切り出すことができる）、常態において先端側が広がった形状になるように各々が後端部Ａにおいて曲げられ、各クリップ爪１１の先端部分は鉤状に内方に折り曲げられている。
【００１７】
１３は、後述するクリップ連結部材５に対して係合させるための係合クリック部であり、板バネ状になるように平行な一対のスリ割りによって後方から切り分けられて、その後端近傍には内方に突出する突起が形成されている。なお、係合クリック部１３は少なくとも一か所に形成されていればよい。
【００１８】
図１及び図２に戻って、連結部１２には、留置クリップユニット１０を構成するもう一つの部品である例えばステンレス鋼管材からなるクリップ閉じ筒体１５が、軸線方向にスライド自在に後方から被嵌されており、クリップ閉じ筒体１５を連結部１２側からクリップ爪１１に被さる状態に移動させることにより、クリップ爪１１が弾性変形して閉じた状態に保持される。
【００１９】
ただし、ＩＶ−ＩＶ断面を図示する図４に示されるように、連結部１２の断面形状が楕円形に形成されて、長円側の外径寸法がクリップ閉じ筒体１５の内径より大きく、短円側の外径寸法がクリップ閉じ筒体１５の内径より小さく形成されている。
【００２０】
そして、連結部１２を径方向に弾性変形させた状態でクリップ閉じ筒体１５内に嵌挿することにより、連結部１２とクリップ閉じ筒体１５とが、相対的にスライド移動させるのにある程度の力を加える必要があるように弾力的に摩擦係合している。
【００２１】
このように構成された留置クリップユニット１０は、３個のクリップ爪１１の全てを後端部Ａ側において一つながりに連結している連結部１２に対して後方からクリップ閉じ筒体１５を被嵌するだけで、極めて短時間で容易に組み立てることができる。
【００２２】
図５は、留置クリップユニット１０が内視鏡用クリップ装置の先端部分に装填された使用準備状態を示している。内視鏡用クリップ装置の先端部分には、例えばステンレス鋼線を一定の径で密着巻きしたコイルパイプ製の可撓性のシース２の先端に円筒状の閉じ筒体受け３が固着されていて、その閉じ筒体受け３にクリップ閉じ筒体１５が支持されている。
【００２３】
クリップ閉じ筒体１５は、後半部分が閉じ筒体受け３内に緩く嵌合しており、クリップ閉じ筒体１５の中間部分に形成されている段差部分が閉じ筒体受け３の前端に当接して、クリップ閉じ筒体１５が図５に示される状態より閉じ筒体受け３内に入り込まないようになっている。
【００２４】
シース２内には、操作ワイヤ４が軸線方向に進退自在に挿通配置されていて、シース２の基端に連結された図示されていない操作部から、操作ワイヤ４を進退操作することができる。
【００２５】
操作ワイヤ４の先端には、クリップ閉じ筒体１５が被せられていない状態の時に連結部１２に対して後方から係脱自在なクリップ連結部材５が連結・固着されている。
【００２６】
クリップ連結部材５は、頭部が丸められた円柱状に形成された先側半部が連結部１２内に緩く嵌合し、中間部分には、係合クリック部１３に形成された内方突起が係合する括れ部５ａが形成されている。
【００２７】
その結果、図５に示されるように、係合クリック部１３にクリップ閉じ筒体１５が被さっている時は係合クリック部１３と括れ部５ａとの係合が外れず、クリップ閉じ筒体１５が被さっていない状態の時に、係合クリック部１３を外側に弾性変形させることにより括れ部５ａと係脱させることができる。
【００２８】
６は、操作部側から単独で軸線方向に進退させることができるようにシース２に全長にわたって被嵌された、例えば四フッ化エチレン樹脂チューブ等からなる外套管であり、図５に示されるようにクリップ爪１１部分にまで被嵌することにより、クリップ爪１１を後端部Ａで弾性変形させて窄んだ状態にする。
【００２９】
このような状態に準備された内視鏡用クリップ装置は、外套管６がクリップ爪１１まで被さった図５に示される状態で内視鏡の処置具挿通チャンネルに通された後、図６に示されるように、クリッピングの対象となる患部１００にクリップ爪１１を向けたら、シース２に対して外套管６を後方に引く（又は、外套管６に対してシース２を前方に押し込む）ことにより、クリップ爪１１が自己の弾性によって開いた形状に戻る。
【００３０】
そこで、３個のクリップ爪１１の先端で患部１００を囲んだら、図７に示されるように、シース２に対して操作ワイヤ４を後方から牽引操作する（又は、操作ワイヤ４に対してシース２を押し込む）。
【００３１】
それによって、閉じ筒体受け３で押さえられているクリップ閉じ筒体１５内にクリップ爪１１が後端部Ａ側から嵌め込まれてクリップ爪１１が窄められ、患部１００をクリッピングすることができる。また、その動作に伴って係合クリック部１３部分がクリップ閉じ筒体１５の後端から抜け出た位置に移動する。
【００３２】
そして、さらにシース２に対して操作ワイヤ４を後方に強く牽引操作する（又はシース２を強く押し込む）と、係合クリック部１３にクリップ閉じ筒体１５が被さらない状態になっているので、図８に示されるように、係合クリック部１３が外方に弾性変形して、クリップ連結部材５の括れ部５ａが係合クリック部１３から外れる。
【００３３】
そこで、図９に示されるようにシース２と外套管６をまとめて後方に引くことにより、留置クリップユニット１０が患部１００をクリッピングした状態で体内に留置され、クリップ閉じ筒体１５が連結部１２に対して摩擦係合しているので、クリップ閉じ筒体１５が外れることなくクリッピング状態が保持される。
【００３４】
図１０は、本発明の第２の実施例のクリップ爪１１と連結部１２の一体化部品の加工工程の途中の状態を示しており、平板状の素材からプレス打ち抜き又はワイヤカッタ加工等でクリップ爪１１と連結部１２とになる部分を一つながりに形成してある。
【００３５】
そして、３個のクリップ爪１１を各々後端部Ａで折り曲げて、連結部１２部分を円筒状に丸め加工することにより、図１１に示されるように、第１の実施例とほぼ同様の一体化部品を容易に製造することができる。ただし、加工の手順はどのようにしてもよい。
【００３６】
この実施例の場合には、連結部１２の合わせ目部分に軸線と平行方向に隙間Ｂを形成すると共に、連結部１２をクリップ閉じ筒体１５の内径より大きな外径寸法の断面に形成することにより、連結部１２をスプリングピン状に弾性変形させてクリップ閉じ筒体１５内に圧入することができる。
【００３７】
したがって、図１２に示されるように、連結部１２の断面形状を正円形に形成することができる。ただし、図１３に示されるように、第１の実施例と同様の楕円形の断面形状に形成しても差し支えない。
【００３８】
なお、本発明は上記実施例に限定されるものではなく、例えばクリップ爪１１の数は４個又はそれ以上であってもよく、クリップ爪１１と連結部１２の加工に絞り加工等を用いてもよい。また、クリップ爪１１と連結部１２を超弾性合金材や硬質のプラスチック材等で形成しても差し支えない。
【００３９】
また、シース２や外套管６が超弾性合金パイプ等によって形成されていてもよい。
【００４０】
【発明の効果】
本発明によれば、少なくとも３個のクリップ爪を有する内視鏡用留置クリップにおいて、クリップ爪後端の連結部を筒状に形成して、全てのクリップ爪と連結部とを一つの素材により一体につながった状態に形成したことにより、部品点数を減らすことができると共に、クリップ閉じリングにクリップ爪を嵌め込む組み立て作業を容易に短時間で行うことができるようになり、内視鏡用留置クリップの製造コストを大幅に削減することができる。
【図面の簡単な説明】
【図１】本発明の第１の実施例の内視鏡用留置クリップの側面部分断面図である。
【図２】本発明の第１の実施例の内視鏡用留置クリップを前方から見た正面図である。
【図３】本発明の第１の実施例の内視鏡用留置クリップのクリップ爪と連結部の一体化部品の斜視図である。
【図４】本発明の第１の実施例の内視鏡用留置クリップの図１におけるＩＶ−ＩＶ断面図である。
【図５】本発明の第１の実施例の留置クリップが内視鏡用クリップ装置の先端部分に装填された使用準備状態の側面断面図である。
【図６】本発明の第１の実施例の留置クリップが内視鏡用クリップ装置で使用される際の状態を示す側面断面図である。
【図７】本発明の第１の実施例の留置クリップが内視鏡用クリップ装置で使用される際の状態を示す側面断面図である。
【図８】本発明の第１の実施例の留置クリップが内視鏡用クリップ装置で使用される際の状態を示す側面断面図である。
【図９】本発明の第１の実施例の留置クリップが内視鏡用クリップ装置で使用される際の状態を示す側面断面図である。
【図１０】本発明の第２の実施例の内視鏡用留置クリップのクリップ爪と連結部の一体化部品の加工工程の途中の状態の平面図である。
【図１１】本発明の第２の実施例の内視鏡用留置クリップのクリップ爪と連結部の一体化部品の斜視図である。
【図１２】本発明の第２の実施例の内視鏡用留置クリップのクリップ閉じ筒体と連結部の軸線に垂直な断面における断面図である。
【図１３】本発明の第２の実施例の内視鏡用留置クリップのクリップ閉じ筒体と連結部の軸線に垂直な断面における変形例の断面図である。
【符号の説明】
１０  留置クリップユニット
１１  クリップ爪
１２  連結部
１３  係合クリック部
１５  クリップ閉じ筒体
Ａ  後端部
Ｂ  隙間
【図１】
2004242922.tif 000003
【図２】
2004242922.tif 000004
【図３】
2004242922.tif 000005
【図４】
2004242922.tif 000006
【図５】
2004242922.tif 000007
【図６】
2004242922.tif 000008
【図７】
2004242922.tif 000009
【図８】
2004242922.tif 000010
【図９】
2004242922.tif 000011
【図１０】
2004242922.tif 000012
【図１１】
2004242922.tif 000013
【図１２】
2004242922.tif 000014
【図１３】
2004242922.tif 000015